(57)【要約】      （修正有）【課題】特定遊技領域（羽根物役物）内に、回転によって特定入賞口への入賞確率が連続的に変化する回転遊技盤を設けて、遊技者にとって興趣が深く、視覚的にも優れた遊技機を提供する。【解決手段】可動片２０１によって区画された特定遊技領域４００内に回転遊技盤４０１を設け、該回転遊技盤４０１の盤面に開口した開口部と、後端が前記開口部に面して軸支され、先端が自身の重量により回動して該開口部を閉鎖及び開放する前板とから構成される特定入賞口４０２を設ける。該特定入賞口４０２は、回転遊技盤４０１の回転に伴い回転中心より一方に位置したとき、前記開口部を開放して遊技球Ａの入球を可能とし、該回転遊技盤４０１の回転に伴い該回転中心より他方に位置したとき、該開口部を遮蔽して遊技球Ａの入球を不可能とすることで、該特定入賞口４０２への遊技球Ａの入賞確率を連続的に設定する。【選択図】図２
2009297354.tif 000002
【特許請求の範囲】
【請求項１】
遊技領域が形成され、該遊技領域に向けて打ち込まれた遊技球が流下可能な遊技盤と、前記遊技領域に配設され、該遊技領域を特定入賞口が設けられる特定遊技領域とその他の通常遊技領域とに区画形成する入賞装置と、前記通常遊技領域に打ち込まれた遊技球の前記特定遊技領域内への進入の確率が高くなるように前記入賞装置に設けられた動作可能な可動片と、前記通常遊技領域に配設される始動口と、所定の条件が成立したことに基づいて前記可動片を駆動制御する駆動制御手段と、を備え、前記通常遊技領域に打ち込まれた遊技球が前記可動片による動作を通じて前記特定遊技領域内に進入し、該進入した遊技球が前記特定入賞口に入球することにより遊技者にとって有利な特別遊技を行う弾球遊技機において、
前記特定遊技領域内に前記遊技盤と同一平面にて回転する回転遊技盤を設け、前記特定入賞口は、前記回転遊技盤の盤面に開口した開口部と、後端が前記開口部に面して軸支され、先端が自身の重量により回動して前記開口部を閉鎖及び開放する前板とから構成されると共に、前記回転遊技盤の回転中心から偏倚した位置に設けられており、前記特定入賞口は、前記回転遊技盤の回転に伴い前記回転中心より一方に位置したとき、前記前板が自身の重量によりその先端部を前記回転遊技盤前方に傾けることにより前記開口部を開放して、前記開口部への遊技球の入球を可能とし、前記回転遊技盤の回転に伴い前記回転中心より他方に位置したとき、前記前板が自身の重量によりその全体を前記回転遊技盤と平行にすることにより前記開口部を遮蔽して、前記開口部への遊技球の入球を不可能としていることを特徴とする弾球遊技機。
【請求項２】
請求項１に記載の弾球遊技機において、前記特定入賞口は、その開口部が前記特定遊技領域において遊技球の流下方向に対し横長となる水平位置にあるときに、前記開口部の水平幅がそれぞれ異なる複数の特定入賞口からなることを特徴とする弾球遊技機。
【請求項３】
請求項１ないし２に記載の弾球遊技機において、前記特定入賞口が回転中心の側方部に位置するときに前記開口部への入球を可能とするように、前記前板が、前記開口部の側部に対応する位置の一方に側板を有していることを特徴とする弾球遊技機。
【請求項４】
請求項１ないし３に記載の弾球遊技機において、前記回転遊技盤に、遊技球の方向を変える障害物が形成されていることを特徴とする弾球遊技機。
【発明の詳細な説明】
【技術分野】
【０００１】
本発明は、弾球遊技機において羽根役物内に設けられる入賞口に関する。
【背景技術】
【０００２】
従来、パチンコ遊技機における羽根物遊技機は、始動口への遊技球の入賞あるいは特定の通過ゲートへの遊技球の通過等に基づいて該羽根が駆動し、該羽根により閉鎖空間として形成される特定の遊技領域（いわゆる羽根役物内）に、該羽根の駆動に伴って開放される開放空間から遊技球が入球し、さらに該羽根役物内に設けられた特定入賞口に入賞することで遊技者にとって有利な特別遊技状態が生ずる条件を設定するように構成されている。（特許文献１）。
【特許文献１】特開２００６−１７００４１号公報
【発明の開示】
【発明が解決しようとする課題】
【０００３】
このような従来から提案されている遊技機を図９に示す。
遊技盤１に形成された遊技領域２には、特定入賞口３が設けられる特定遊技領域４と、始動口５が設けられるその他の通常遊技領域６とが形成されている。特定遊技領域４と通常遊技領域６は、可動羽根７により区画されており、通常は該通常遊技領域４が閉鎖された状態となっている。
ここで、通常遊技領域６に打ち込まれた遊技球Ａが始動口５に入球するなどの所定条件が成立すると、可動羽根７が可動して一定時間、例えば０．４秒間、特定遊技領域４が開放される。
そして、遊技球Ａが、該一定の開放時間内に該特定遊技領域４に侵入し、更に、該特定遊技領域４の下方に設けられた特定入賞口３に入賞すると、通常遊技状態から遊技者にとって格別有利な遊技状態である特別遊技状態に変化するように構成されている。
この特定入賞口３の形態は種々あり、例えば、図８に示すように該特定遊技領域４の下部に回転する回転円盤８を設け、その周囲に形成した複数の入賞口９のうち、１個を該特定入賞口３とし、他を通常の入賞口として構成するものや、単に、該特定遊技領域２の下部に固設されるものなどがある。
【０００４】
しかし、このような形態の特定入賞口３では、該特定入賞口３への入賞確率を変動させることが困難である。
したがって、このような特定入賞口３の形態では、特定遊技領域４への開放時間は極めて短く設定されているので、遊技者が特定遊技領域４に遊技球Ａをようやく入球させたとしても、特定入賞口への入賞確率が変動しないので、遊技者にとって興趣ある遊技機とはなっていない。
【０００５】
本発明は前記の点に鑑みなされたものであり、特定入賞口への入賞確率が時系列で連続的に変動しうる遊技機を提供しようとするものである。  
【課題を解決するための手段】
【０００６】
本発明は、上述した目的を達成する解決手段として、特定遊技領域内に遊技盤と同一平面にて回転する回転遊技盤を設け、特定入賞口は、前記回転遊技盤の盤面に開口した開口部と、後端が前記開口部に面して軸支され、先端が自身の重量により回動して前記開口部を閉鎖及び開放する前板とから構成されると共に、前記回転遊技盤の回転中心から偏倚した位置に設けられており、前記特定入賞口は、前記回転遊技盤の回転に伴い前記回転中心より一方に位置したとき、前記前板が自身の重量によりその先端部を前記回転遊技盤前方に傾けることにより前記開口部を開放して、前記開口部への遊技球の入球を可能とし、前記回転遊技盤の回転に伴い前記回転中心より他方に位置したとき、前記前板が自身の重量によりその全体を前記回転遊技盤と平行にすることにより前記開口部を遮蔽して、前記開口部への遊技球の入球を不可能とするように構成したものである。
より詳しくは、請求項１の発明は、遊技領域が形成され、該遊技領域に向けて打ち込まれた遊技球が流下可能な遊技盤と、前記遊技領域に配設され、該遊技領域を特定入賞口が設けられる特定遊技領域とその他の通常遊技領域とに区画形成する入賞装置と、前記通常遊技領域に打ち込まれた遊技球の前記特定遊技領域内への進入の確率が高くなるように前記入賞装置に設けられた動作可能な可動片と、前記通常遊技領域に配設される始動口と、所定の条件が成立したことに基づいて前記可動片を駆動制御する駆動制御手段と、を備え、前記通常遊技領域に打ち込まれた遊技球が前記可動片による動作を通じて前記特定遊技領域内に進入し、該進入した遊技球が前記特定入賞口に入球することにより遊技者にとって有利な特別遊技を行う弾球遊技機において、前記特定遊技領域内に前記遊技盤と同一平面にて回転する回転遊技盤を設け、前記特定入賞口は、前記回転遊技盤の盤面に開口した開口部と、後端が前記開口部に面して軸支され、先端が自身の重量により回動して前記開口部を閉鎖及び開放する前板とから構成されると共に、前記回転遊技盤の回転中心から偏倚した位置に設けられており、前記特定入賞口は、前記回転遊技盤の回転に伴い前記回転中心より一方に位置したとき、前記前板が自身の重量によりその先端部を前記回転遊技盤前方に傾けることにより前記開口部を開放して、前記開口部への遊技球の入球を可能とし、前記回転遊技盤の回転に伴い前記回転中心より他方に位置したとき、前記前板が自身の重量によりその全体を前記回転遊技盤と平行にすることにより前記開口部を遮蔽して、前記開口部への遊技球の入球を不可能としていることを特徴とする弾球遊技機であり、該回転遊技盤の回転の伴い、上方から流下する遊技球に対して特定入賞口へ入球する確率を連続的に変化させるので、遊技者に対し興趣ある弾球遊技機を提供することができる。
【０００７】
また、請求項２の発明は、請求項１に記載の弾球遊技機において、前記特定入賞口は、その開口部が前記特定遊技領域において遊技球の流下方向に対し横長となる水平位置にあるときに、前記開口部の水平幅がそれぞれ異なる複数の特定入賞口からなることを特徴とする弾球遊技機であり、更に多様な入賞確率が設定できると共に、視覚的にも優れた弾球遊技機を提供することができる。
【０００８】
また、請求項３の発明は、請求項１ないし２に記載の弾球遊技機において、前記特定入賞口が回転中心の側方部に位置するときに前記開口部への入球を可能とするように、前記前板が、前記開口部の側部に対応する位置の一方に側板を有していることを特徴とする弾球遊技機であり、連続的な入賞確率の設定を確実に行うことができる。
【０００９】
また、請求項４の発明は、請求項１ないし３に記載の弾球遊技機において、前記回転遊技盤に、遊技球の方向を変える障害物が形成されていることを特徴とする弾球遊技機であり、特定入賞口への入賞確率を変動することができると共に、特定遊技領域に入賞後においても意外性を付与することができるので、遊技者にとって一層興趣ある遊技機を提供することができる。
【発明の効果】
【００１０】
本発明は、特定遊技領域内に、回転によって特定入賞口への入賞確率が連続的に変化する回転遊技盤を設けたので、遊技者にとって興趣が深く、視覚的にも優れた遊技機を提供することができる。  
【発明を実施するための最良の形態】
【００１１】
以下に本発明に好適な実施の形態を、本発明をパチンコ遊技機に適用した場合おいて、図面を用いて説明する。  
【００１２】
図１は、本発明の実施の形態に係る遊技盤の説明図、図２は、本発明の実施の形態に係る特定遊技領域の正面図、図３は、本発明の実施の形態に係る回転遊技盤を斜め正面から見た図、図４は、本発明の実施の形態に係る回転遊技盤の断面図（閉鎖状態）、図５は、本発明の実施の形態に係る回転遊技盤の断面図（開放状態）、図６は、本発明の実施の形態に係る回転遊技盤の状態説明図、図７は、本発明の第２の実施の形態に係る回転遊技盤の説明図、図８は本発明の第３の実施の形態に係る回転遊技盤の説明図である。
【００１３】
本発明の実施の形態に係る弾球遊技機は、図１に示すように、遊技場の島設備に設置される基枠１１１と、該基枠１１１に扉状に開閉自在に取り付けられた前面枠１１２と、前面枠１１２に収容された後述する遊技盤１１３と、前面枠１１２の前面に扉状に開閉自在に取り付けられたガラス枠１１４と、前面枠１１２の下側に配設された後述する玉受け皿１１５を有する前面ボード１１６と、前面ボード１１６に取り付けられた発射ハンドル１１７などが設けられ、遊技機背面には図示しない主基板や周辺基板などの各種の制御基板などが取り付けられている。
また、遊技盤の下部には、入賞しなかった遊技球を回収するアウト穴１１８が設けられている。
【００１４】
図１及び２に示すように、前記遊技盤１１３上における遊技領域１００は、入賞装置２００によって、通常遊技領域３００と、該通常遊技領域３００のほぼ中央に形成される特定遊技領域４００とに区画されている。
通常遊技領域３００には、障害釘３０１や風車３０２等が適宜配置されていると共に、前記入賞装置２００を駆動する契機となる始動口３０３あるいはスルーチャッカー３０４が配置されている。
入賞装置２００は、前記したように、通常遊技領域３００と特定遊技領域４００とを区画形成しているもので、その両側部には、可動片２０１（いわゆる羽根）が一対に形成されており、通常は該可動片２０１が特定遊技領域４００を閉鎖する状態に位置している。
該可動片２０１は、遊技球Ａが始動口３０３に入賞するなどにより、支点２０２を中心に互いに外方に傾動し、所定時間（例えば０．４秒間）停止して特定遊技領域４００を開放した後、元の閉鎖位置に戻るように構成されている。
特定遊技領域４００の下部には、遊技時に常時回転する回転遊技盤４０１が設けられており、該回転遊技盤４０１に特定入賞口４０２が設けられている。
なお、該入賞装置２００の最下部には、特定入賞口４０２に入賞しなかった遊技球Ａを通常遊技領域３００に落下させるためのアウト口２０３が設けられている。しかし、特定入賞口４０２に入賞しなかった遊技球Ａに対して賞球を付与するように、該アウト口２０３に代えて、特別遊技の契機とならない通常入賞口を設けても良い。
そして遊技球Ａが、該特定入賞口４０２に入賞することで、遊技者にとって格別有利な特別遊技、例えば、前記可動片２０１が開放状態となって、特定遊技領域４００に遊技球Ａが１０個を上限に入賞するか、あるいは１０個まで入賞しない場合は該可動片２０１が予め定められた開閉回数（例えば１８回）を上限に開閉を行う遊技を１ラウンドとして、所定のラウンド数の遊技を可能とする遊技がおこなわれ、入賞した遊技球数に応じて賞球が払い出される。
【００１５】
回転遊技盤４０１の構成を、更に図３〜５を用いて、説明する。
図３〜５に示すように、この回転遊技盤４０１には回転に伴い遊技球Ａを選択的に入賞させる特定入賞口４０２が回転入賞盤の回転中心ｃから偏倚した位置に設けられており、この特定入賞口４０２は、回転遊技盤４０１に開口した開口部４０３と、該開口部４０３を閉鎖あるいは開放する前板４０４とからなっている。
また、該回転遊技盤４０１は、その円形の外延が回転支持部材４０５に支持されて、遊技者に面する側が遊技盤１１３の表面とほぼ同一面を形成して回転可能となっている。
そして、この回転遊技盤４０１を回転するための駆動源４０６が回転支持部材４０５に設けられ、この回転支持部材４０５が遊技盤１１３に固定されている。
該回転遊技盤４０１は、この駆動源４０６により、駆動機構を介して回転支持部材４０５にガイドされつつ回転する。
また、前記前板４０４は、その後端部４０４ｂが、回転遊技盤４０１の開口部４０３に沿って、回動支点４０４ｃを中心に回転遊技盤４０１の前後方向に揺動自在に支持されており、その先端部４０４ａは遊技盤１１３の前方に自由に回動するようになっている。しかし、この前板４０４は、回転遊技盤４０１の開口部４０３に沿って設けられた前板ストッパ部４０１ａなどにより、鎖線で示す所定角度θの位置に停止するようになっている。
したがって、回転遊技盤４０１が図５に示す状態では、前板４０４は、自身の重量により所定角度θまで遊技盤前方に回動し、開口部４０３が開放される。一方、図３に示す状態から遊技盤が半回転した図４に示す状態では、該前板４０４は自身の重量によりその先端部４０４ａが下垂し、開口部４０３が閉鎖される。
【００１６】
このように構成された回転遊技盤４０１が、回転変移する状態を図６に示す。
図６（１）では、特定入賞口４０２が、回転遊技盤４０１の回転中心ｃから下方に偏倚し、且つその前板４０４の先端部４０４ａが上方を向くように設置されているから、該前板４０４は開放状態にあり、しかも上方から流下する遊技球Ａに対し、該前板の全幅ａによってガイドできるので、入賞しうる確率が最も大きな状態となっている。
図６（１）の状態から、回転遊技盤４０１が、更に４５°回転した状態を図６（２）に示す。この状態では、前記前板４０４は、なお開放状態にあるが、上方から流下する遊技球Ａに対する有効入賞幅は、図に示すようにｂ（＝ａ・ｃｏｓ４５°）となる。
更に４５°回転すると図６（３）の状態となり、この状態では、前記前板４０４の先端部４０４ａがほぼ垂直状態となるため、該先端部４０４ａはいわば遷移状態にあり、右方からの遊技球の圧力を受けると開口部４０３を閉鎖してしまう状態にあるし、上方から流下する遊技球に対する入賞有効幅ｃは０（ゼロ）であるから、遊技球Ａが入賞できる確率は殆どない状態となっている。
そして、図６（３）の状態から（４）の状態を経て、（５）に至る期間までは、該前板４０４は閉鎖状態となり、特定入賞口への入賞は不可能となる。
【００１７】
このように、本件発明では、上方から流下する遊技球に対する特定入賞口４０２への入賞有効幅、つまり入賞確率は、回転遊技盤４０１の回転角度に依存して連続的に変化することとなる。
したがって、上方から流下する遊技球に対して、特定入賞口へ入球する確率が系時的に連続変化し、また該前板４０４は自身の重量により開閉動作するので視覚的にも意外性に富むことから、遊技者に対し興趣ある弾球遊技機を提供することができる。
【００１８】
しかしながら、このように回転遊技盤４０１に１個の特定入賞口４０２を設けた場合には、上記したように、該回転遊技盤４０１が図６（３）から図６（５）の状態までの期間は、該特定入賞口４０２への入賞が殆ど不可能となってしまい、その期間での遊技は、遊技者にとって興味のないものとなってしまう。
【００１９】
本件発明の第２の実施の形態は、このような状況を解消すべく、回転遊技盤４０１の回転中心ｃから偏倚して設けられる特定入賞口４０４を複数個としたものである。
図７に示すように、複数の特定入賞口４０２Ａ，４０２Ｂは、回転遊技盤４０１の回転中心ｃから点対称の位置に設けられ、且つ、対応する開口部４０３Ａ、４０３Ｂの横幅ａ，ｂが異ならせて設けられる。したがって、対応する前板４０４Ａ，４０４Ｂの横幅もその開口部４０３Ａ、４０３Ｂの横幅ａ，ｂに合わせて形成されている。
これら特定入賞口４０２Ａ，４０２Ｂ自体の構成は、開口幅に対応した構成が異なるだけで、前記した第１の実施の形態におけるものと、同様である。
そして、該特定入賞口は、図７に示すように、その前板４０４Ａ，４０４Ｂの先端部４０４Ａａ、４０４Ｂａが、回転中心ｃからみてそれぞれ同一方向になるように設けられている。
図７では、前板４０４Ａ，４０４Ｂの先端部４０４Ａａ、４０４Ｂａが回転中心ｃから見て内側に設定されているので、回転中心ｃより下方に位置する特定入賞口４０４Ａへの入賞が可能とされているが、これとは逆に、先端部４０４Ａａ、４０４Ｂａを回転中心ｃから見て外側に設定することで、回転中心ｃより上方に位置する特定入賞口への入賞を可能とするようにしても良い。
【００２０】
したがって、回転遊技盤の回転に伴い、特定入賞口４０２Ａあるいは特定入賞口４０２Ｂのいずれかへの入賞機会がほぼ連続的に付与されることなり、特定入賞口への入賞が不可能となる期間を少なくすることができる。
このように、この第２の実施の形態では、回転遊技盤の回転位置に応じて特定入賞口への入賞確率を連続的に可変とすると共に、入賞することが不可能な期間を大幅に解消することができるので、遊技者にとって一層興趣ある遊技機を提供することができる。
【００２１】
なお、これら特定入賞口４０２Ａ，４０２Ｂへ入賞することにより与えられる特別遊技を、それぞれの特定入賞口４０２Ａ，４０２Ｂに対応させて、例えば広い横幅ａの特定入賞口４０２Ａへの入賞は８ラウンドの特別遊技を可能とし、狭い横幅ｂの特定入賞口４０２Ｂへの入賞は１５ラウンドの特別遊技を可能とするなどと、多様な設定をすることも可能である。
また、この実施の形態では、２個の特定入賞口が設けられているが、２個に限ることなく、回転中心ｃを中心に３個以上の特定入賞口を、その開口部の幅を異ならせて設けることにより、遊技者にとって更に興趣ある遊技機として構成することができる。
【００２２】
さらに本件発明では、第３の実施の形態として、図８に示すように、前板４０４の側部端面の一方に側板４０５を該前板４０４に直角に取り付け、該側板が前板４０４の揺動と共に回転遊技盤４０１から出入りするように構成する。このように構成すると、該側板４０５によって遊技球Ａを開口部４０３にガイドすることができる。
したがって、図６（２）および（３）の状態では、上方から流下する遊技球が該側板４０５によって開口部４０３にガイドされるので、連続的な入賞確率の設定を確実に行うことができる。
【００２３】
また、本件発明では、第４の実施の形態として、図３及び図４に示すように、回転遊技盤に遊技球の方向を変える障害釘３０１などの障害物を設けることができる。
このようにすると、回転遊技盤の領域に遊技球が到達しても遊技球の方向が変化することとなり、特定入賞口に対し側方からの入賞が可能となるなど意外性に富み、遊技者にとって一層興趣ある遊技機を提供することができる。
【００２４】
なお、本件発明の実施の形態では、前板４０４の遊技盤１１３前方への回動を確実に行うため、前板４０４の先端部外方に重りを取り付けたり、図５に記載のように前板の回動支点４０４ｃを前板の重心線４０４ｄよりも遊技盤１１３後方にシフトするようにセットしたり、あるいはまた回転遊技盤自体を垂直より若干前傾となる姿勢とするなどの構成を付加することもできる。
【図面の簡単な説明】
【００２５】
【図１】本発明の実施の形態に係る遊技盤の全体説明図。
【図２】本発明の第１の実施の形態に係る遊技盤の要部説明図。
【図３】本発明の第１の実施の形態に係る回転遊技盤の斜め正面説明図。
【図４】本発明の第１の実施の形態に係る回転遊技盤の断面図（開放状態）。
【図５】本発明の第１の実施の形態に係る回転遊技盤の断面図（閉鎖状態）。
【図６】本発明の第１の実施の形態に係る回転遊技盤の状態説明図。
【図７】本発明の第２の実施の形態に係る回転遊技盤の説明図。
【図８】本発明の第３の実施の形態に係る回転遊技盤の説明図。
【図９】従来例における遊技機の説明図。
【符号の説明】
【００２６】
１００  遊技領域
１１３  遊技盤
１１７  発射ハンドル
１１８  アウト穴
２００  入賞装置
２０１  可動片
２０３  アウト口  
３００  通常遊技領域
３０１  障害釘
３０３  始動口
４００  特別遊技領域
４０１  回転遊技盤
４０２、４０２Ａ、４０２Ｂ  特定入賞口
４０３、４０３Ａ、４０３Ｂ  開口部
４０４、４０４Ａ、４０４Ｂ  前板
４０４ａ、４０４Ａａ、４０４Ｂａ  先端部
４０４ｂ後端部
４０４ｃ回動支点
４０５  回転支持部材
４０６  駆動源
Ａ  遊技球
ｃ  回転中心
【図１】
2009297354.tif 000003
【図２】
2009297354.tif 000004
【図３】
2009297354.tif 000005
【図４】
2009297354.tif 000006
【図５】
2009297354.tif 000007
【図６】
2009297354.tif 000008
【図７】
2009297354.tif 000009
【図８】
2009297354.tif 000010
【図９】
2009297354.tif 000011